(57)【特許請求の範囲】
【請求項１】
カメラ機能付き携帯端末と、接眼レンズを有する双眼鏡とを接合させ、双眼鏡が拡大する事物の像を携帯端末で撮影するのに使用するアダプターであって、携帯端末のカメラレンズの光軸と双眼鏡の接眼レンズの光軸とが一直線を結ぶよう携帯端末と双眼鏡とを本体に取り付けるための携帯端末用取付部と双眼鏡用取付部とが本体に背中合わせに設けられ、また携帯端末のカメラレンズに対応する本体の箇所に、カメラレンズを双眼鏡の接眼レンズの側に臨ませる開口部が形成され、携帯端末用取付部が、携帯端末を挟持して本体に取り付ける一対の携帯端末用挟み付け片と、この携帯端末用挟み付け片の間隔を調節するための携帯端末用調節機構とで形成され、双眼鏡用取付部が、双眼鏡の接眼レンズ部を挟持して本体に取り付ける一対の双眼鏡用挟み付け片と、この双眼鏡用挟み付け片の間隔を調節するための双眼鏡用調節機構とで形成され、
上記の携帯端末用挟み付け片が、長板状に形成されて上下一対状に配置され、上記の携帯端末用調節機構が、一対の携帯端末用挟み付け片の接離方向に沿って延ばされていると共に、外部に露出する上端に、手指操作用の摘みが設けられている螺子棒と、この螺子棒を納めるため、本体の左右方向の中央に、縦向きの凹溝状に形成されている収納部と、この収納部に形成されて螺子棒をその長手方向に移動させることなく、同じ位置で回転を可能にする規制手段とを備えて形成され、
上記の双眼鏡用挟み付け片は、上下一対状に配置され、双眼鏡の接眼レンズ部を上下から挟み付けることができるよう、上側は左右一対の山形に、下側は左右一対の谷形に形作られ、中央の縦線を介して線対称状に形成され、
上記の双眼鏡用調節機構は、一対の双眼鏡用挟み付け片の接離方向に沿って延ばされていると共に、外部に露出する上端に、手指操作用の摘み部が設けられているネジ棒と、一対の双眼鏡用挟み付け片を接離方向に案内するため、収納部の外側面に、収納部の長手方向に延びて凸形のレール状に形成されているガイド部と、このガイド部の長さ方向の中央に形成されてネジ棒をその長手方向に移動させることなく、同じ位置で回転を可能にする規制部とを備えて形成されていることを特徴とする携帯端末と双眼鏡との接合用アダプター。
【請求項２】
請求項１記載のアダプターであって、本体の開口部が、一対の携帯端末用挟み付け片の接離方向に延ばされて長く形成されていることを特徴とする携帯端末と双眼鏡との接合用アダプター。
【請求項３】
請求項１又は２記載のアダプターであって、本体に、携帯端末のカメラレンズを備えた前面を当接させる平面状部が形成され、この平面状部に携帯端末の前面を受けるクッション質の面状材が貼られていることを特徴とする携帯端末と双眼鏡との接合用アダプター。
【発明の詳細な説明】
【技術分野】
【０００１】
本発明は、アダプターに関し、更に詳しくはスマートフォン等のカメラ機能付き携帯端末と双眼鏡とを接合し、携帯端末で、例えば遠景等を拡大して撮影できるよう形成した携帯端末と双眼鏡との接合用アダプターに関するものである。
【背景技術】
【０００２】
従来、この種の器具としては、例えば特許文献１、同２に記載されているものがある。
特許文献１、２の従来品は、携帯電話機のカメラレンズの箇所に、望遠鏡等の付属機器を取り付けるための支持部等を設けたり、また望遠鏡等の接眼レンズの箇所に、携帯電話機のカメラレンズに取り付けるための接続部を設けているものである。
【０００３】
従来品は、このように携帯電話機のカメラレンズや望遠鏡の接眼レンズの箇所に、両者を接続するための手段を施す必要があった。
従って、従来品によると、専用の携帯電話機と望遠鏡しか利用できず、その結果、市販の望遠鏡等をそのまま使用して、携帯電話機で手軽に撮影することができなかった。
【０００４】
また従来品は、上記の通り、望遠鏡等を、直接、携帯電話機のカメラレンズの箇所に接合する構造であった。
従って、従来品の場合は、通常、小型、軽量の望遠鏡に限られたから、従来品によると、重量のある、換言すると倍率の大きな高性能の望遠鏡や、双眼鏡を利用できない、という問題点があった。
【先行技術文献】
【特許文献】
【０００５】
【特許文献１】特開２００９−８６５１３号公報
【特許文献２】特開２００８−１１３０９９号公報
【発明の概要】
【発明が解決しようとする課題】
【０００６】
本発明は、このような従来技術の問題点に鑑み、提案されたものである。
従って、本発明の解決しようとする技術的課題は、携帯電話機等のカメラ機能付き携帯端末や、双眼鏡に、両者を接続するための手段を講じることなく、市販品をそのまま利用して両者を接合でき、また重量のある双眼鏡を利用できるよう形成した携帯端末と双眼鏡との接合用アダプターを提供することにある。
【課題を解決するための手段】
【０００７】
本発明は、上記の課題を解決するため、次のような技術的手段を採る。
即ち本発明は、図１等に示されるように、カメラ機能付き携帯端末１と、接眼レンズ２ａを有する双眼鏡２とを接合させ、双眼鏡２が拡大する事物の像を携帯端末１で撮影するのに使用するアダプターであって、携帯端末１のカメラレンズ１ａの光軸と双眼鏡２の接眼レンズ２ａの光軸とが一直線を結ぶよう携帯端末１と双眼鏡２とを本体３に取り付けるための携帯端末用取付部４と双眼鏡用取付部５とが本体３に背中合わせに設けられ、また携帯端末１のカメラレンズ１ａに対応する本体３の箇所に、カメラレンズ１ａを双眼鏡２の接眼レンズ２ａの側に臨ませる開口部３ｂが形成され、携帯端末用取付部４が、携帯端末１を挟持して本体３に取り付ける一対の携帯端末用挟み付け片４ａと、この携帯端末用挟み付け片４ａの間隔を調節するための携帯端末用調節機構４ｂとで形成され、双眼鏡用取付部５が、双眼鏡２の接眼レンズ部２ｂを挟持して本体３に取り付ける一対の双眼鏡用挟み付け片５ａと、この双眼鏡用挟み付け片５ａの間隔を調節するための双眼鏡用調節機構５ｂとで形成され、
上記の携帯端末用挟み付け片４ａが、長板状に形成されて上下一対状に配置され、上記の携帯端末用調節機構４ｂが、一対の携帯端末用挟み付け片４ａの接離方向に沿って延ばされていると共に、外部に露出する上端に、手指操作用の摘み７が設けられている螺子棒４ｂ１と、この螺子棒４ｂ１を納めるため、本体３の左右方向の中央に、縦向きの凹溝状に形成されている収納部４ｂ２と、この収納部４ｂ２に形成されて螺子棒４ｂ１をその長手方向に移動させることなく、同じ位置で回転を可能にする規制手段４ｂ３とを備えて形成され、
上記の双眼鏡用挟み付け片５ａは、上下一対状に配置され、双眼鏡２の接眼レンズ部２ｂを上下から挟み付けることができるよう、上側は左右一対の山形に、下側は左右一対の谷形に形作られ、中央の縦線を介して線対称状に形成され、
上記の双眼鏡用調節機構５ｂは、一対の双眼鏡用挟み付け片５ａの接離方向に沿って延ばされていると共に、外部に露出する上端に、手指操作用の摘み部１３が設けられているネジ棒５ｂ１と、一対の双眼鏡用挟み付け片５ａを接離方向に案内するため、収納部４ｂ２の外側面に、収納部４ｂ２の長手方向に延びて凸形のレール状に形成されているガイド部５ｂ２と、このガイド部５ｂ２の長さ方向の中央に形成されてネジ棒５ｂ１をその長手方向に移動させることなく、同じ位置で回転を可能にする規制部５ｂ３とを備えて形成されていることを特徴とする（請求項１）。
【０００８】
ここで、カメラ機能付き携帯端末１としては、スマートフォン等の携帯電話機がある。
【０００９】
また本発明は、図３等に示されるように、本体３の開口部３ｂが、一対の携帯端末用挟み付け片４ａの接離方向に延ばされて長く形成されているのが好ましい（請求項２）。
なぜならこれによると、カメラレンズ１ａの光軸と双眼鏡２の光軸を合わせる作業を、携帯端末１の高さを変更することで、簡単、迅速にでき、この種の作業を容易にできるからである。
【００１０】
また本発明は、図３等に示されるように、本体３に、携帯端末１のカメラレンズ１ａを備えた前面を当接させる平面状部３ａが形成され、この平面状部３ａに携帯端末１の前面を受けるクッション質の面状材１０が貼られているのが好ましい（請求項３）。
なぜならこれによると、携帯端末１を本体３に取り付ける際、カメラレンズ１ａを備えた携帯端末１の前面が傷付くことを防止できるからである。
【発明の効果】
【００１１】
本発明は、このように、カメラ機能付き携帯端末と、接眼レンズを有する双眼鏡を、これらの機器に、特別な接続用の加工を施すことなく、接合できるよう形成しているものである。
【００１２】
従って、本発明によれば、専用品によることなく、市販の携帯端末や双眼鏡を、そのまま利用して、簡単且つ手軽に遠景等の拡大写真を撮ることができる。
また本発明によると、重量のある双眼鏡を利用でき、例えば倍率の大きな高性能の双眼鏡を利用して撮影できる。
【００１３】
また本発明の場合は、携帯端末と双眼鏡を、挟み付け、という簡単な方法で本体に取り付けることができる。
【００１４】
またこれによると、携帯端末用挟み付け片や双眼鏡用挟み付け片の挟み付け間隔を調節して、携帯端末等を本体に取り付けることができ、携帯端末や双眼鏡のサイズ、種類等が異なる場合でも柔軟に対応できる。
【図面の簡単な説明】
【００１５】
【図１】本発明アダプターの好適な一実施形態を示す斜視図である。
【図２】同上アダプターの使用状態時の斜視図である。
【図３】同上アダプターの斜視図である。
【図４】同上アダプターの要部斜視図である。
【図５】同上アダプターの要部斜視図である。
【図６】同上アダプターの要部斜視図である。
【図７】同上アダプターの作用を説明するための正面図である。
【図８】同上アダプターの作用を説明するための正面図である。
【図９】同上アダプターの作用を説明するための背面図である。
【発明を実施するための形態】
【００１６】
以下、本発明を実施するための好適な一実施形態を添付図面に従って説明する。
本発明は、図１等に示されるように、カメラ機能付き携帯端末１と、接眼レンズ２ａを有する双眼鏡２とを接合させ、双眼鏡２が拡大する事物の像を携帯端末１で撮影するのに使用するアダプターである。この実施形態の場合、カメラ機能付き携帯端末１は、スマートフォンである。
【００１７】
而して、本発明品は、携帯端末１のカメラレンズ１ａの光軸と双眼鏡２の接眼レンズ２ａの光軸とが一直線を結ぶよう携帯端末１と双眼鏡２を本体３に取り付けるための携帯端末用取付部４と双眼鏡用取付部５とが、本体３に背中合わせに設けられている。
【００１８】
本発明の場合、携帯端末用取付部４は、携帯端末１を挟持して本体３に取り付ける一対の携帯端末用挟み付け片４ａと、この携帯端末用挟み付け片４ａの間隔を調節するための携帯端末用調節機構４ｂとで形成されている。
【００１９】
携帯端末用挟み付け片４ａは、図１、図３等に示されるように、長板状に形成され、上下一対状に配置されている。そして、この携帯端末用挟み付け片４ａは、携帯端末１の長手方向に沿った側端面にあてがわれる内面の両端に、面状のクッション材の小片６が設けられている。これにより、携帯端末１は、その長手方向の側端面が携帯端末用挟み付け片４ａで上下からピタッと挟み付けられ、安定した状態で本体３に挟み付けられる。
【００２０】
また携帯端末用調節機構４ｂは、図３、図４等に示されるように、一対の携帯端末用挟み付け片４ａの接離方向に沿って延ばされている螺子棒４ｂ１と、この螺子棒４ｂ１が納められている収納部４ｂ２と、この収納部４ｂ２に形成されて螺子棒４ｂ１をその長手方向に移動させることなく、同じ位置で回転を可能にする規制手段４ｂ３とを備えて形成されている。
【００２１】
螺子棒４ｂ１は、外部に露出する一端（上端）に、手指操作用の摘み７が設けられている。また螺子棒４ｂ１は、その長手方向の中央位置に、径の拡大部分８が形成され、この径の拡大部分８を介して一方側と他方側とで螺子の切り方が逆向きに形成されている。
【００２２】
携帯端末用挟み付け片４ａの一方は、図４に示されるように、螺子棒４ｂ１の一方側（径の拡大部分８の上側の螺子棒４ｂ１の位置）に、他方は、螺子棒４ｂ１の他方側（径の拡大部分８の下側の螺子棒４ｂ１の位置）に、ブロック状の凸部４ａ１を介して螺合されている。また収納部４ｂ２は、本体３の左右方向の中央に、縦向きの凹溝状に形成され、上記の凸部４ａ１を案内するガイド溝としても機能するよう形成されている。
【００２３】
規制手段４ｂ３は、螺子棒４ｂ１の径の拡大部分８が納められ、螺子棒４ｂ１の上下方向への移動を制止し、且つ回転は可能にする収納スペースで形成されている。この収納スペースは、収納部４ｂ２内に形成されている上下一対の平行状の仕切り９で、収納部４ｂ２の上下方向の中央位置に形成されている。
【００２４】
また本発明は、図５に示されるように、本体３に、携帯端末１のカメラレンズ１ａを備えた前面を当接させる平面状部３ａが形成されている。そして、平面状部３ａに、携帯端末１の前面を受けるクッション質の面状材１０が貼られている。面状材１０は、この実施形態では収納部４ｂ２を介してその両側（左右側）の平面状部３ａに貼られている。これにより、携帯端末１を本体３に取り付けた際の衝撃を緩和でき、カメラレンズ１ａを備えた前面を保護できるものである。
【００２５】
また本発明は、携帯端末１のカメラレンズ１ａに対応する、本体３としての平面状部３ａの箇所に、カメラレンズ１ａを双眼鏡２の接眼レンズ２ａの側に臨ませる開口部３ｂが形成されている。この開口部３ｂは、一対の携帯端末用挟み付け片４ａの接離方向に延ばされ、この実施形態では縦長の窓状に形成されている。
【００２６】
また双眼鏡用取付部５は、図１、図６等に示されるように、双眼鏡２の接眼レンズ部２ｂを挟持して本体３に取り付ける一対の双眼鏡用挟み付け片５ａと、この双眼鏡用挟み付け片５ａの間隔を調節するための双眼鏡用調節機構５ｂとで形成されている。
【００２７】
双眼鏡用挟み付け片５ａは、上下一対状に配置されている。そして、この双眼鏡用挟み付け片５ａは、双眼鏡２の接眼レンズ部２ｂを上下から挟み付けることができるよう、上側は左右一対の山形に、下側は左右一対の谷形に形作られ、中央の縦線を介して線対称状に形成されている。
【００２８】
また双眼鏡用挟み付け片５ａの、接眼レンズ部２ｂ（図１参照）と接触する面は、接眼レンズ部２ｂを挟み付けるときに傷付けないよう、クッション材のシート片１１が貼られている。なお、この実施形態の本発明品は、三脚の雲台に螺子止めできるよう、ネジ孔１２が下側の双眼鏡用挟み付け片５ａの下面に形成されている。
【００２９】
また双眼鏡用調節機構５ｂは、図６等に示されるように、一対の双眼鏡用挟み付け片５ａの接離方向に沿って延ばされているネジ棒５ｂ１と、一対の双眼鏡用挟み付け片５ａを接離方向に案内するガイド部５ｂ２と、このガイド部５ｂ２の長さ方向の中央に形成されてネジ棒５ｂ１をその長手方向に移動させることなく、同じ位置で回転を可能にする規制部５ｂ３とを備えて形成されている。
【００３０】
ネジ棒５ｂ１は、外部に露出する一端（上端）に、手指操作用の摘み部１３が設けられている。またネジ棒５ｂ１は、その長手方向の中央位置に、径の拡大部１４が形成され、この径の拡大部１４を介して一方側と他方側とで螺子の切り方が逆向きに形成されている。
【００３１】
双眼鏡用挟み付け片５ａの一方は、図６に示されるように、ネジ棒５ｂ１の一方側（径の拡大部１４の上側のネジ棒５ｂ１の位置）に、他方は、ネジ棒５ｂ１の他方側（径の拡大部１４の下側のネジ棒５ｂ１の位置）に、夫々中央部が螺合されている。ガイド部５ｂ２は、収納部４ｂ２の外側面に、収納部４ｂ２の長手方向に延びて凸形のレール状に形成されている。そして、このガイド部５ｂ２に係合する係合溝１５が、双眼鏡用挟み付け片５ａの対応位置に形成されている。
【００３２】
また規制部５ｂ３は、ネジ棒５ｂ１の径の拡大部１４が納められ、ネジ棒５ｂ１の上下方向への移動を制止し、且つ回転は可能にする収納空間で形成されている。この収納空間は、ブロック状部１６に形成され、このブロック状部１６は、収納部４ｂ２（図５参照）の上下方向の中央位置の背面側に固定されている。
【００３３】
次に、本発明アダプターの作用を説明する。
【００３４】
先ず、使用者は、本体３の平面状部３ａに携帯端末１を取り付ける。具体的には、図７において、摘み７を反時計方向に回転する。すると、上側の携帯端末用挟み付け片４ａが上方に、下側の携帯端末用挟み付け片４ａが下方に、矢印で示されるように互いに離れる方向に移動する。そして、使用者は、一対の携帯端末用挟み付け片４ａの間隔が、携帯端末１の幅より幾分広くなるまで摘み７を回し、携帯端末用挟み付け片４ａの間隔を調節する。
【００３５】
次に、使用者は、図８に示されるように、携帯端末１のカメラレンズ１ａを開口部３ｂに臨ませ、カメラレンズ１ａの光軸を双眼鏡２の光軸と一致するよう位置決めし、平面状部３ａに携帯端末１をあてがう。
【００３６】
そして、使用者は、同図に示されるように、摘み７を時計方向に回す。すると、上側の携帯端末用挟み付け片４ａは下方に、下側の携帯端末用挟み付け片４ａは上方に、即ち互いに近づいて接する方向に移動する。
【００３７】
これにより、携帯端末１は、一対の携帯端末用挟み付け片４ａで締め付けられ、本体３に取り付けられる。なお、携帯端末１の機種によってはカメラレンズ１ａの幅方向における位置が異なる場合がある。この場合は、携帯端末１と双眼鏡２の光軸を合わせるとき、携帯端末１と携帯端末用挟み付け片４ａとの間にできる隙間に、詰め物を適宜入れて締め付けるのが良い。
【００３８】
このようにして携帯端末１を本体３に取り付けた後、使用者は、双眼鏡２を本体３の他方側に取り付ける。具体的には、使用者が、図９において、摘み部１３を反時計方向に回転する。すると、上側の双眼鏡用挟み付け片５ａは上方に、下側の双眼鏡用挟み付け片５ａは下方に、即ち互いに離れる方向に移動する。
【００３９】
そして、使用者は、一対の双眼鏡用挟み付け片５ａの間隔が、双眼鏡２の接眼レンズ部２ｂの直径より幾分広くなるまで摘み部１３を回す。その後、使用者は、図１に矢印で示されるように、一対の双眼鏡用挟み付け片５ａの間に双眼鏡２の接眼レンズ部２ｂを挿入する。
【００４０】
そして、使用者は、図６に示されるように、摘み部１３を時計方向に回す。すると、上側の双眼鏡用挟み付け片５ａは下方に、下側の双眼鏡用挟み付け片５ａは上方に、即ち互いに近づいて接する方向に移動する。
【００４１】
これにより、双眼鏡２の接眼レンズ部２ｂが、一対の双眼鏡用挟み付け片５ａで締め付けられ、双眼鏡２が本体３に取り付けられる。そして、使用者は、双眼鏡２が拡大する遠景等を、携帯端末１で撮影する。なお、携帯端末１等を本発明品から取り外すときは、摘み７等を上例と逆に操作して行う。
【符号の説明】
【００４２】
１      カメラ機能付き携帯端末
１ａ    カメラレンズ
２      双眼鏡
２ａ    接眼レンズ
２ｂ    接眼レンズ部
３      本体
３ｂ    開口部
４      携帯端末用取付部
４ａ 携帯端末用挟み付け片
４ｂ 携帯端末用調節機構
４ｂ１ 螺子棒
４ｂ２ 収納部
４ｂ３ 規制手段
５      双眼鏡用取付部
５ａ 双眼鏡用挟み付け片
５ｂ 双眼鏡用調節機構
５ｂ１ ネジ棒
５ｂ２ ガイド部
５ｂ３ 規制部
７ 摘み
１３ 摘み部
【要約】
【課題】  携帯電話機等のカメラ機能付き携帯端末や、望遠鏡、双眼鏡等の光学機器に、両者を接続するための手段を講じることなく、市販品をそのまま利用して両者を接合でき、また重量のある光学機器を利用できるようにする。
【解決手段】  カメラ機能付き携帯端末１と、接眼レンズ２ａを有する光学機器２とを接合させ、光学機器２が拡大する事物の像を携帯端末１で撮影するのに使用するアダプターである。携帯端末１のカメラレンズ１ａの光軸と光学機器２の接眼レンズ２ａの光軸とが一直線を結ぶよう携帯端末１と光学機器２とを本体３に取り付けるための携帯端末用取付部４と光学機器用取付部５とを本体３に背中合わせに設ける。また携帯端末１のカメラレンズ１ａに対応する本体３の箇所に、カメラレンズ１ａを光学機器２の接眼レンズ２ａの側に臨ませる開口部３ｂを形成する。
【選択図】      図１【図１】
0005627058.tif 000002
【図２】
0005627058.tif 000003
【図３】
0005627058.tif 000004
【図４】
0005627058.tif 000005
【図５】
0005627058.tif 000006
【図６】
0005627058.tif 000007
【図７】
0005627058.tif 000008
【図８】
0005627058.tif 000009
【図９】
0005627058.tif 000010